(57)【要約】本発明は、着用者の皮膚（９０）にかなり密着して着用される上半身用スポーツウェア（１０）のための、濡れたスポーツウェアの脱衣支援手段を開示し、前記脱衣支援手段は、対応する引き紐（３０）を案内する１つ又は複数の案内部（２０）、及び作動に使用する握り部（８０）から構成される。案内部（２０）は、前記上半身用スポーツウェア（１０）の背部上に作製され、各案内部（２０）は、裾部（１１）の近くで始端し、スポーツウェア（１０）の上側部に連続して伸長するか、又は１つ又は複数の中断部（２４）を前記案内部（２０）に沿って形成させて伸長する。握り部（８０）を着用者の手で引くと、スポーツウェアの裾部（１１）が着用者の首の方に持ち上がり、脱衣を容易にする。本発明は、通常のＴシャツの脱衣手段として適用可能であり、高齢者又は障害者が前記上半身用衣類を脱衣するのを支援する。【選択図】図１Ｄ
2017537237.tif 000002
【特許請求の範囲】
【請求項１】
着用者の皮膚（９０）にかなり密着して着用され、運動による汗、環境条件又はこれら両方により濡れている上半身用スポーツウェア（１０）のための、濡れたスポーツウェアの脱衣支援手段であって、前記脱衣支援手段は、引き紐（３０）を案内する１つ又は複数の案内部（２０）、及び前記脱衣支援手段の作動に使用する握り部（８０）から構成される、脱衣支援手段において、
−前記案内部（２０）は、前記上半身用スポーツウェア（１０）の背部上に作製され、前記着用者の皮膚（９０）の方を向く前記スポーツウェア（１０）の内側表面上に位置するか、前記スポーツウェア（１０）の外側表面上に位置するか、又は前記スポーツウェア（１０）の両側表面上に同時に位置し、前記各案内部（２０）は、裾部（１１）の近くに位置する案内部始端部（２１）を有し、前記案内部（２０）は、前記裾部（１１）から、前記スポーツウェア（１０）の上側部に連続して伸長するか、又は１つ又は複数の中断部（２４）を前記案内部（２０）に沿って形成させて伸長し、
−前記各引き紐（３０）は、接合領域（１２）内で前記裾部（１１）に接続し、前記各引き紐（３０）は、対応する前記案内部始端部（２１）に入り、案内部終端部（２２）まで、又は２つ以上の前記案内部（２０）の接続部（２３）まで、対応する前記案内部（２０）を通過し、
−前記各引き紐（３０）は、前記握り部（８０）、又は２つ以上の前記案内部（２０）の前記接続部（２３）内の別の引き紐（３０）に固定し、
−前記握り部（８０）は、前記着用者の首領域内で前記スポーツウェア（１０）の頂部近くに位置し、
前記握り部（８０）を前記着用者の手で引くと、前記スポーツウェアの裾部（１１）が前記着用者の首の方に持ち上がることを特徴とする、濡れたスポーツウェアの脱衣支援手段。
【請求項２】
前記各案内部（２０）は、前記スポーツウェア（１０）の面の一方に部分的に固定した材料から形成し、前記対応する引き紐（３０）の中での移動を妨害しないことを可能にし、前記案内部（２０）のための前記材料は、前記材料の縫付け、超音波若しくはレーザ溶接、又は接着剤留めによって、前記スポーツウェア（１０）に固定されていることを特徴とする、請求項１に記載の濡れたスポーツウェア（１０）の脱衣支援手段。
【請求項３】
前記案内部（２０）のための前記材料は、布帛材料であるように選択することを特徴とする、請求項２に記載の濡れたスポーツウェア（１０）の脱衣支援手段。
【請求項４】
前記案内部（２０）は、前記スポーツウェア（１０）の背部上に位置する前記引き紐（３０）を囲む縫い目により形成され、前記縫い目は、前記縫い目と、前記スポーツウェア（１０）との間に位置する前記引き紐（３０）の移動を妨害しないことを可能にするように前記スポーツウェア（１０）に固定されていることを特徴とする、請求項１に記載の濡れたスポーツウェア（１０）の脱衣支援手段。
【請求項５】
前記案内部（２０）は、ジグザグ縫い目として形成することを特徴とする、請求項４に記載の濡れたスポーツウェア（１０）の脱衣支援手段。
【請求項６】
前記各案内部（２０）は、前記裾部（１１）から前記握り部（８０）に近い領域に連続して伸長することを特徴とする、請求項１〜５のうちいずれか一項に記載の濡れたスポーツウェア（１０）の脱衣支援手段。
【請求項７】
前記案内部（２０）のいくつかは、前記裾部（１１）から前記２つ以上の前記案内部（２０）の前記接続部（２３）まで誘導され、前記接続部（２３）は、１つの特定の案内部（２０）上に形成され、前記１つの特定の案内部（２０）は、前記スポーツウェア（１０）の背面に沿って連続的に伸長し、前記握り部（８０）の近くで終端することを特徴とする、請求項１〜５のうちいずれか一項に記載の濡れたスポーツウェア（１０）の脱衣支援手段。
【請求項８】
前記対応する案内部（２０）からの全ての前記引き紐（３０）は、前記握り部（８０）に取り付けられて終端することを特徴とする、請求項７に記載の濡れたスポーツウェア（１０）の脱衣支援手段。
【請求項９】
２つ以上の前記案内部（２０）の前記接続部（２３）内で終端する、前記案内部（２０）からの全ての前記引き紐（３０）は、１つの引き紐（３０）に接続され、前記１つの引き紐（３０）は、前記握り部（８０）に単体で取り付けられて終端することを特徴とする、請求項７に記載の濡れたスポーツウェア（１０）の脱衣支援手段。
【請求項１０】
少なくとも２つの前記案内部（２０）は、互いに重複する前記中断部（２４）と共に形成され、そのため、前記案内部（２０）によって案内される対応する前記引き紐（３０）は、重複する前記中断部（２４）内で互いに交差し、前記引き紐（３０）は、前記握り部（８０）に取り付けられて終端することを特徴とする、請求項１〜５のうちいずれか一項に記載の濡れたスポーツウェア（１０）の脱衣支援手段。
【請求項１１】
少なくとも２つの前記案内部（２０）は、側方継ぎ目内に位置し、前記側方継ぎ目は、前記スポーツウェア（１０）の後部と前部とを接続し、前記案内部（２０）は、前記裾部（１１）から袖の下に位置する捩れ部（２５）にわたって通過し、前記案内部（２０）は、前記袖から前記握り部（８０）の方向に向けて通っていることを特徴とする、請求項１〜５のうちいずれか一項に記載の濡れたスポーツウェア（１０）の脱衣支援手段。
【請求項１２】
全ての前記案内部（２０）及び対応する前記引き紐（３０）は、前記着用者の皮膚（９０）の方を向く前記スポーツウェア（１０）の内側に位置することを特徴とする、請求項１〜１１のうちいずれか一項に記載の濡れたスポーツウェア（１０）の脱衣支援手段。
【請求項１３】
請求項１〜１２のうちいずれか一項に記載のスポーツウェア（１０）脱衣支援手段の、高齢者又は障害者が通常の上半身用衣類を脱衣するのを支援する脱衣手段としての前記上半身用衣類における使用。
【発明の詳細な説明】
【技術分野】
【０００１】
本発明は、スポーツウェアの脱衣支援手段を開示するものであり、この脱衣支援手段は、着用者が、濡れたスポーツウェア、特にスポーツウェアの上側部を脱衣することを支援する。前記支援手段は、更なる特定の技術的機能を有する衣類の細部に対処する技術分野に属する。
【背景技術】
【０００２】
技術的問題
今日の健康的な生活に対する傾向には、より多くの人々が様々な室内外のスポーツ活動に携わることが挙げられ、こうしたスポーツ活動のために特殊な衣類が設計され、着用されている。上述の活動の一部は、着用者の皮膚にかなり密着するように設計されたスポーツウェアを使って実施される。活動の間、スポーツウェアは運動による汗、環境条件又はこれらの両方により濡れた状態になる。上半身用スポーツウェアが濡れた状態になると、着用者の頭から脱衣することがほぼ不可能であることが観察される。仲間の助けが必要となり、さもなければ、スポーツウェアが破損する高い危険性がある。このことは特に、高性能の極細繊維ポリエステル布を備える衣類において重要であり、この布は、体から汗を遠ざけ、汗を蒸発させる布表面上に汗を移動させるはずのものである。しかし、雨天時、又はきつい運動を行う間、スポーツウェアは完全に濡れた状態になり、脱衣が不可能になる傾向がある。
【０００３】
したがって、主な技術的解決法は、単純で確実であり、審美的に許容可能な支援手段を構成することであり、この手段は、濡れたスポーツウェア、特に着用者の皮膚にかなり密着するように設計された上半身用スポーツウェアを着用者の頭から簡単に脱衣させることを可能にする。
【０００４】
高齢者には、自身の脊柱、関節又は手足の健康状態のために、Ｔシャツ又は同様の衣類を頭から脱衣することに関して問題がある。肥満の人も同様に脱衣ができない可能性がある。したがって、主な技術的問題の解決策は、上記で観察される問題に容易に拡張することができる。本発明によると、着用者が首に触れることができれば、本発明による脱衣支援手段の使用が可能である。
【０００５】
上記の技術的問題は、１つ又は複数の案内部から基本的に構成されるデバイスにより解決され、１つ又は複数の案内部は、対応する、即ち、適合性のある引き紐を備え、引き紐は、衣類の背部に位置する裾部に取り付けられ、握り部により終端する。前記案内部は、好ましくは、上半身用衣類の背部上に位置し、案内部は、裾部付近で始端し、連続して、又は１つ若しくは複数の連続区分で衣類の頂部まで至る。
【０００６】
従来の現況技術
本発明により解決する技術的問題は、新規な脱衣支援手段の構造であり、脱衣支援手段は、体に密着する濡れたスポーツウェアを着用者の頭から脱衣することを支援する。当技術分野には周知の解決策があり、こうした解決策は、ジッパ又は機械式／磁気スナップを備え、ジッパ又は機械式／磁気スナップは、１つ又は複数の縁部に沿ってスポーツウェアのジッパ又はファスナを外すことを可能にし、脱衣手順を容易にする。しかし、そのようなジッパ又はスナップは、一人では取扱いが煩雑でもあり、言うまでもなく、そのような解決策は、ユーザの体に密着するスポーツウェアを着用する際の体感を局所的に変化させる。
【０００７】
本発明は、スポーツウェアの背部に位置する裾部を引き上げることにより、技術的問題を解決するものである。このことは、上記で引用した周知の解決策とはかなり異なる。本部門における従来の現況技術を検討する、即ち衣類の引上げ若しくは脱衣手段、又は衣類の少なくとも一部の引上げ若しくは脱衣手段を備える衣類を探索することは有益である。
【０００８】
おそらく、衣類の一部を引き上げる技術的解決策の中で最も早期のものの１つは、米国特許第５６０，６８３号（特許文献１）、発明者Ｅ．Ｂｒｕｃｋｎｅｒ、において述べられている。前記文献は、自転車に乗る人のためのズボンについて教示しており、このズボンは、ひざまで引き上げ、この短くした状態で保持することができる。実装されたシステムは、引き紐、及び係止システムを有する適切な案内部から構成される。
【０００９】
文献米国特許第７２４，７５８号（特許文献２）、発明者Ｈ．Ｍ．Ｔｏｄｄ、は、スカート又は裾部引上げ器について教示している。前記発明の目的は、女性用スカートの横幅部に対し手を使わずに、背部及び前記横幅部を引上げ且つ引下げるように構成したデバイスを提供することである。当該発明は、主にワイヤ・フレームから構成され、ワイヤ・フレームは、スカートの背部内に取り付けるように構成され、適切なテープ又はコードを通す適切なループを備え、テープ又はコードは、一緒に結ぶか、又は着用者の腰部に固着するように構成されている。
【００１０】
文献米国特許第２，１２７，７６３号（特許文献３）、発明者Ｇ．Ｂ．Ｂｅｎｔｚ、は、オーバーコート、トップコート、レインコート、ケープ等の改良形態について教示している。前記発明の主な焦点は、前記衣類が、いす又は同様のものの上に置いた後、床上に引き下ろされないようにする、又は踏みつけられないようにするものである。衣類の収縮は、コード、テープ、小さなチェーン又は同様の手段によって達成され、これらは、衣類内の異なる位置に固定することができるため、効果的に裾部の持ち上げをもたらす。
【００１１】
文献米国特許第５，２９９，３２３号（特許文献４）、発明者Ａ．Ｓｃｈａｅｆｅｒ等、は、衣類に対し繰り返し調節可能な縁部を形成する調節システムを開示している。この調節システムは、コードを備える調節機構を提供しており、そのコードは、一端で、縁部内部で衣類に取り付けられている一方で、もう一端は、衣類に固着された継ぎ目内部の保持ポケット又は通路に通す。引用発明の利点は、調整技術が一切なくても、衣類を人に合わせることを可能にすることである。
【００１２】
文献米国特許第５，３６７，７０９号（特許文献５）、発明者Ｎ．Ａ．Ｔｅａｓｌｅｙ、は、乳幼児のための調節可能な衣服を開示しており、この衣服は、子供の成長に合わせて長さを可逆的に調節するものである。調節は、側方継ぎ目に位置する引き紐により実施され、引き紐によって形成される結び目により固定される。
【００１３】
文献米国特許出願公開第２０１０／０２８１５９７号（特許文献６）、発明者Ｊ．Ａ．Ｌａｎｇ、は、即座に、妨げられることなく腰／ベルト・ラインに接近して必要な物を取り出す必要がある着用者のための、上半身用衣類内に装着される、衣類の部分持上げ／急速接近システムを開示している。急速接近システムは、着用者が、完全で妨げられることなく接近するのに適した腰／ベルト・ラインで、物を即座に露出させることを可能にするものであり、これは、胸ポケットにある単純なコードを引っ張ることによる。この動作は、衣類の底縁部にカーテンのような効果をもたらし、着用者が手にしたい物に素早く近づくことを支援する一方で、必要な活動の間、衣類の縁部を吊るしたままにする。
【００１４】
文献米国特許出願公開第２００６／０１４３７７９号（特許文献７）、発明者Ｃ．Ｌｅｅ、は、互いに容易に着脱可能であり、脱衣支援手段としても働き得る２つのパネルを前後に有する衣服品を開示している。
【００１５】
文献米国特許出願公開第２０１１／２７７２１２１号（特許文献８）、発明者Ｃ．Ｇ．Ｊｏｎｅｓ、は、ユーザがコート等の外側衣類を脱がずに、脱ぐことができるベストを開示している。ベストは、前後を分離可能にするように面ファスナを使用する。分離を容易にするために、引張りコードは、後肩部に取り付けられ、ベストの背部で交差させ、反対側の腰回り付近で案内部に通す。引張りコードを引っ張ると、分離している反対側の肩部は、背部にわたって後ろ及び下に剥がれ、ユーザが、オーバーコートを脱がずにベストを脱ぐことを可能にする。
【００１６】
文献特開２００２２４２００８（特許文献９）、発明者Ｆ．Ｋａｗａｇｕｃｈｉ、は、簡潔な構造を有し、容易に脱衣されるボディースーツを開示している。前記ボディースーツは、腕部、及び開口を有する首部を有する上側胴部、並びに脚部を有する下側胴部を備え、少なくとも１つの引張り作業部材を使用して、首部の開口を変形させ、容易に脱衣するようにする。
【００１７】
上記で引用した文献からは、引用文献のいずれも、体に密着するスポーツウェアで観察される脱衣の問題を解決していないという結論を出すことは容易である。引き紐又はコードは、もっぱらズボン、スカート又は同様の衣類を引き上げ、衣類の外観及び機能を調節又は修正するために使用されており、皮膚に密着し、濡れているスポーツウェア、又は更には高齢者若しくは障害者が使用する通常のＴシャツを脱衣する動作を実施するために使用されていない。
【先行技術文献】
【特許文献】
【００１８】
【特許文献１】米国特許第５６０，６８３号
【特許文献２】米国特許第７２４，７５８号
【特許文献３】米国特許第２，１２７，７６３号
【特許文献４】米国特許第５，２９９，３２３号
【特許文献５】米国特許第５，３６７，７０９号
【特許文献６】米国特許出願公開第２０１０／０２８１５９７号
【特許文献７】米国特許出願公開第２００６／０１４３７７９号
【特許文献８】米国特許出願公開第２０１１／２７７２１２１号
【特許文献９】特開２００２２４２００８
【発明の概要】
【発明が解決しようとする課題】
【００１９】
本発明は、着用者の皮膚にかなり密着して着用され、運動によりもたらされた汗、環境条件又はこれら両方により濡れている上半身用スポーツウェアのための、濡れたスポーツウェアの脱衣支援手段を開示する。
【課題を解決するための手段】
【００２０】
前記脱衣支援手段は、前記脱衣支援手段を作動させるのに使用する引き紐及び握り部を案内する１つ又は複数の案内部から構成される。
【００２１】
案内部は、前記上半身用スポーツウェアの背部上に作製され、着用者の皮膚の方を向くスポーツウェア内側表面上に位置するか、スポーツウェア外側表面上に位置するか、又はスポーツウェア両表面上に同時に位置する。各案内部は、裾部の近くに位置する案内部始端部を有し、前記案内部は、この裾部からスポーツウェアの上側部まで連続して伸長するか、又は１つ又は複数の中断部を前記案内部に沿って形成させて伸長する。
【００２２】
各引き紐は、接合領域において裾部と接続されている。前記引き紐は、対応する案内部始端部に入り、案内部終端部、又は２つ以上の案内部の接続部まで、対応する案内部を通過する。引き紐は、握り部、又は２つ以上の案内部の接続部内で別の引き紐に固定されて終端する。握り部を着用者の手で引くと、スポーツウェアの裾部が着用者の首の方に持ち上がる。
【００２３】
一変形形態では、各案内部は、スポーツウェアの面の一方に部分的に固定された材料から形成され、対応する引き紐が中で移動するのを妨害されないことを可能にする。案内部に使用する材料は、縫付け、超音波若しくはレーザ溶接を介して、前記材料を前記スポーツウェアに接着剤で留めることによって、又は当技術分野で公知のあらゆる他の方法によりスポーツウェアに固定される。１つの下位変形形態では、案内部の材料は、布帛材料であるように選択する。
【００２４】
別の変形形態では、案内部は、前記スポーツウェアの背部上に位置する引き紐を囲む縫い目により形成される。前記縫い目は、前記縫い目とスポーツウェアとの間に位置する引き紐の移動を妨害しないことを可能にするようにスポーツウェアに固定されている。１つの下位変形形態では、前記案内部は、ジグザグ縫い目として形成される。
【００２５】
本発明は、引き紐の伸長について他の変形形態も開示する。前記本発明は、通常のＴシャツの脱衣手段として適用可能であり、高齢者又は障害者が前記上半身用衣類を脱衣するのを支援する。
【００２６】
いくつかの実施形態は、本発明の変形形態を表す図面により説明したものである。図面は、案内部をスポーツウェアの内側面上に形成する実施形態を表し、案内部は、引き紐を前記案内部に挿入する稠密ジグザグ縫い目として形成される。
【図面の簡単な説明】
【００２７】
【図１Ａ】スポーツウェアの内側面上で中央に位置する唯一の引き紐を有する技術的解決策の図である。
【図１Ｂ】技術的解決策をより良好に示すために内側面を外側面に裏返した場合の前記スポーツウェアの内部構造の図である。
【図１Ｃ】引き紐を裾部と接続する方法を示す図である。
【図１Ｄ】前記実施形態の作動を示す図である。
【図２Ａ】スポーツウェアの内側面に位置する２つの引き紐を有する技術的解決策の図である。
【図２Ｂ】技術的解決策をより良好に示すために内側面を外側面に裏返した場合の前記スポーツウェアの内部構造の図である。
【図２Ｃ】前記実施形態の作動を示す図である。
【図３Ａ】スポーツウェアの内側面に位置する３つの引き紐を有する技術的解決策の図である。
【図３Ｂ】技術的解決策をより良好に示すために内側面を外側面に裏返した場合の前記スポーツウェアの内部構造の図である。
【図３Ｃ】前記実施形態の作動を示す図である。
【図４Ａ】３つの引き紐を有する技術的解決策の図であり、２つの引き紐は、中央の引き紐に接続され、スポーツウェアの内側面に位置する。
【図４Ｂ】技術的解決策をより良好に示すために内側面を外側面に裏返した場合の前記スポーツウェアの内部構造の図である。
【図４Ｃ】前記実施形態の作動を示す図である。
【図５Ａ】スポーツウェアの内側面に位置する２つの交差引き紐を有する技術的解決策の図であり、各引き紐は、個別に移動させることができる。
【図５Ｂ】技術的解決策をより良好に示すために内側面を外側面に裏返した場合の前記スポーツウェアの内部構造の図である。
【図５Ｃ】前記実施形態の作動を示す図である。
【図６Ａ】スポーツウェアの内側面に位置する２つの引き紐を有する技術的解決策の図であり、２つの引き紐は、案内部として側方継ぎ目を有する。
【図６Ｂ】技術的解決策をより良好に示すために内側面を外側面に裏返した場合の前記スポーツウェアの内部構造の図である。
【図６Ｃ】前記実施形態の作動を示す図である。
【図７Ａ】図６Ａ、図６Ｂ及び図６Ｃにより提示したものと同様の技術的解決策の図であり、追加の案内部及び引き紐が図１Ａ、図１Ｂ、図１Ｃ及び図１Ｄにより既に示したように追加されている。
【図７Ｂ】図６Ａ、図６Ｂ及び図６Ｃにより提示したものと同様の技術的解決策の図であり、追加の案内部及び引き紐が図１Ａ、図１Ｂ、図１Ｃ及び図１Ｄにより既に示したように追加されている。
【図７Ｃ】図６Ａ、図６Ｂ及び図６Ｃにより提示したものと同様の技術的解決策の図であり、追加の案内部及び引き紐が図１Ａ、図１Ｂ、図１Ｃ及び図１Ｄにより既に示したように追加されている。
【発明を実施するための形態】
【００２８】
本発明は、スポーツウェアの脱衣支援手段を開示するものであり、この手段は、着用者が濡れたスポーツウェア、特にスポーツウェアの上側部を脱衣することを支援する。高性能の極細繊維ポリエステル布を備える衣類、ＮｉｋｅのＤＲＩ−ＦＩＴ（登録商標）等は、体から汗を遠ざけ、布の表面上に移動させ、この表面で汗を蒸発させるように設計されている。技術的結果として、着用者は、常に乾いており、熱を失わず、このことは、スポーツで良好な結果を達成するために必要である。前記種類の材料は、上半身用スポーツウェアの製造だけでなく、多くの様々な衣類で使用されている。
【００２９】
しかし、雨、又は激しい運動を行った場合、スポーツウェアは完全に濡れた状態になる。上半身用スポーツウェアの場合、着用者が一人でこのスポーツウェアを頭から脱衣することはほぼ不可能になる。通常、脱衣手順には、例えば、長距離ランニング、サイクリング又は激しい登山の間、ユーザの体に密着するスポーツウェアが破損しないように、支援する人を必要とする。濡れたＤＲＹ−ＦＩＴ（登録商標）又は同様の衣類は、着用者の皮膚と前記材料との間に著しい摩擦をもたらし、無理な脱衣は衣類の破損をもたらすことになる。
【００３０】
本発明は、本明細書により詳細に説明する実施形態を介して、上記で観察される技術的問題の解決を支援するものである。本発明は、着用者の皮膚にかなり密着して着用され、運動によりもたらされた汗、環境条件又はこれら両方により濡れている上半身用スポーツウェアのための、単純で確実であり審美的に許容可能な濡れたスポーツウェアの脱衣支援手段を開示する。
【００３１】
着用者の皮膚（９０）にかなり密着して着用される上半身用スポーツウェア（１０）のための、濡れたスポーツウェアの脱衣支援手段は、引き紐（３０）を案内する１つ又は複数の案内部（２０）、及び前記脱衣支援手段の作動に使用する握り部（８０）から構成される。
【００３２】
１つ又は複数の案内部（２０）は、前記上半身用スポーツウェア（１０）の背部上に作製され、着用者の皮膚（９０）の方を向くスポーツウェア（１０）の内側表面上に位置するか、スポーツウェア（１０）の外側表面上に位置するか、又はスポーツウェア（１０）の両表面上に同時に位置する。各案内部（２０）は、例において説明するように、スポーツウェア（１０）の上側部に連続して伸長するか、又は１つ又は複数の中断部（２４）を前記案内部（２０）に沿って形成させて伸長する。
【００３３】
作動のために使用する引き紐（３０）は、図１Ｃに示すように、接合領域（１２）において裾部（１１）に接続されている。引き紐（３０）は、接着剤留め、超音波又はレーザ溶接等、当技術分野であらゆる公知の方法によって裾部（１１）に接続することができる。しかし、最も実用的な方法は、引き紐（３０）を裾部（１１）内に直接縫い付けることである。
【００３４】
本発明では、各引き紐（３０）は、対応する案内部始端部（２１）に入り、案内部終端部（２２）まで、又は可能性としては、他の案内部（２０）を一緒に接続する場合は接続部（２３）まで、対応する案内部（２０）を通過する。
【００３５】
引き紐の材料は、当技術分野で公知の、適切な引張り強さを有する適切な材料のセットから選択することができる。良好な例として、靴ひもを使うことさえできる。各引き紐（３０）は、握り部（８０）、又は２つ以上の案内部（２０）が一緒に合流する場合、他の引き紐（３０）への接続部（２３）内で別の引き紐（３０）に固定して終端する。
【００３６】
図１Ｄ、図２Ｃ、図３Ｃ・・・図７Ｃは、着用者の手で握り部（８０）を引くことによる、スポーツウェア（１０）脱衣手段の作動を示し、これにより、スポーツウェアの裾部（１１）が着用者の首の方に持ち上がる。握り部（８０）は、スポーツウェア（１０）の頂部近く、即ち、着用者の首領域内に位置することに留意することが重要である。握り部（８０）は、当技術分野で公知の、使用する引き紐（３０）と接続することができ、着用者が十分に快適である、あらゆる適切な材料、好ましくは、布帛材料、熱可塑性樹脂又はエラストマ材料から製造することができる。
【００３７】
案内部（２０）は、関連する技術分野で公知のあらゆる好都合な材料から製造することができる。使用する材料は、スポーツウェア（１０）の背面に適切に固定する必要があり、対応する引き紐（３０）の移動が案内部（２０）内で妨害されないことを保証するようにする。更に、案内部（２０）に使用する前記材料は、当技術分野で公知のあらゆる適切な様式で、縫い合せ／縫い付け、超音波若しくはレーザ溶接、接着剤留めによって、前記材料がスポーツウェアの背部で使用される材料と共に引き紐（３０）案内部（２０）として働くスリーブを形成する場所で、スポーツウェア（１０）の背面に固定される。案内部（３０）のための好ましい材料は、あらゆる布帛材料であるが、最適な材料は、スポーツウェアの製造に使用する機械的特性と同様のものを有する任意の材料である。
【００３８】
本発明の別の態様では、案内部（２０）は、引き紐（３０）を囲む縫い目のみを介して形成することができる。前記縫い目は、前記縫い目とスポーツウェア（１０）の形成に使用する材料との間に位置する引き紐（３０）が移動するのを妨害しないことを可能にするようにスポーツウェア（１０）に固定されている。引き紐（３０）の妨害のない動きを全てのケースにおいて維持し、過度な使用によりスポーツウェアが裂けないようにするために、長手方向の縫い目の密度、及びスポーツウェアに使用する材料に加えられる縫い目の張力は、注意深く選択する必要がある。上述の課題のために、ジグザグ縫い目が十分であることが分かっており、好ましい解決策として考慮することができる。
【００３９】
例−一般的な注釈
より詳細に検討する以下の例は、ジグザグ縫い目として形成する案内部（２０）を使用し、ジグザグ縫い目は、スポーツウェアの内側面に配置される、即ち着用者の皮膚（９０）の方を向く引き紐（３０）を囲むように位置する。これらの例は、特許請求の範囲によって示す保護の範囲を制限するものではなく、本発明の最も単純で可能な変形形態を示すために使用するにすぎない。
【００４０】
当業者は、困難又は更なる仮説を一切伴わずに、開示する教示をより複雑なケースに拡張するであろう。
【００４１】
例１−中断のない案内部
図１Ａ〜図１Ｄは、唯一の案内部（２０）及び引き紐（３０）から構成される脱衣手段の構造及び使用を示す。スポーツウェア（１０）のもう一方の側では、図１Ａから見えるように、案内部（２０）は、案内部始端部（２１）から案内部終端部（２２）まで伸長し、案内部終端部（２２）は、前記スポーツウェア（１０）の首位置の近くに位置し、この領域内で、着用者が自分の肩を介して案内部終端部（２２）に手を伸ばすことができる。図１Ｄ。
【００４２】
上述のケースでは、案内部（２０）は、スポーツウェア（１０）の背面上で引き紐（３０）の周囲に形成される。図１Ｂは、内側面を外に裏返した場合の前記スポーツウェア（１０）及びその外観を示す。この特定のケースでは、引き紐（３０）は、既に裏返してある前記スポーツウェア（１０）内側面に配置し、この場合、ジグザグ縫い目は、引き紐（３０）を囲み、案内部（２０）を形成する。前記引き紐（１０）は、図１Ｃに示すように、案内部（２０）を形成する前又はその後、接合領域（１２）内で裾部（１１）に縫い付けることができる。引き紐（１０）のもう一方の端部は、図１Ｂに示すように握り部（８０）に取り付けられる。
【００４３】
ここで、スポーツウェア（１０）は、内側面を外に裏返した図１Ｂに示す状態から再度裏返すことができ、案内部（２０）が、背面の形成に使用するスポーツウェア（１０）材料の背後に位置する図１Ａのように、スポーツウェア（１０）の「通常の」外観を示すようにする。
【００４４】
脱衣支援手段の作動を図１Ｄに示す。ユーザ／着用者は、手をスポーツウェア（１０）の首部分の下に入れ、握り部（８０）を把持し、頭の方に引き上げる。この行為により、スポーツウェア（１０）が脱衣支援手段を一切有さない場合に他者が着用者を支援しているのと同様に、裾部（１１）が持ち上がる。着用者は、もう一方の手で裾部（１１）の前部を把持し、着用者が、皮膚（９０）とスポーツウェア（１０）との間の著しい摩擦にもかかわらず、前記スポーツウェア（１０）を持ち上げ、スポーツウェア（１０）を破損させることなく脱衣することができるようにする。
【００４５】
上述の例で使用する握り部（８０）は、あらゆる適切な材料から製造することができる一方で、容易に把持するのに十分な大きさのものである。更に、握り部（８０）は、案内部（２０）よりも広いこと、より正確には、案内部終端部（２２）よりも広いことが重要であり、握り部（８０）が不必要に案内部（２０）の中に入らないようにする。握り部（８０）のための好ましい解決策は、着用者の快適さを保つために、布帛材料のループとして作製することである。開示する解決策の欠点は、接合領域（１２）に加えられる力が高すぎ、長期間使用する間にスポーツウェア（１０）の布を破損させるおそれがあることである。
【００４６】
例２−中断のない２つの案内部
図２Ａ〜図２Ｃは、２つの案内部（２０）及び２つの引き紐（３０）から構成される脱衣手段の構造及び使用を示す。案内部（２０）は、例１に記載のように形成する。２つの案内部（２０）を有する解決策は、例１で開示した解決策に対する利点を有する。というのは、引き紐（３０）を裾部（１１）に取り付けた各接合領域（１２）上に加えられる力は、１／２に低減し、したがって、接合領域（１２）の引き裂きを防止するためである。作動は、例１で既に説明した手順と同様である。
【００４７】
例３−中断のない３つの案内部
図３Ａ〜図３Ｃは、３つの案内部（２０）及び３つの対応する引き紐（３０）から構成される脱衣手段の構造及び使用を示す。案内部（２０）は、例１に記載のように形成する。３つの案内部（２０）を有する解決策は、例１で開示した解決策に対する利点を有する。というのは、引き紐（３０）を裾部（１１）に取り付けた各接合領域（１２）上に加えられる力は、１／３に低減し、したがって、接合領域（１２）の引き裂きを防止するためである。作動は、例１で既に説明したものと同様である。
【００４８】
例４−３つの案内部
図４Ａ〜図４Ｃは、３つの案内部（２０）及び３つの対応する引き紐（３０）から構成される脱衣手段の構造及び使用を示す。上述の案内部（２０）の２つは、中央案内部（２０）上で、中央案内部（２０）の長さ部の約１／２のところに形成した接続部（２３）において終端する。前記中央案内部（２０）は、スポーツウェア（１０）の裾部（１１）から首部に伸長する。
【００４９】
この例は、２つの下位変形形態を有する。第１の下位変形形態は、全ての引き紐（３０）が接合領域（１２）から握り部（８０）まで伸長するものであり、第２の下位変形形態は、２つの側方引き紐（３０）が、中央案内部（２０）に属する引き紐（３０）に接続されて終端するものであり、この部分では、側方引き紐（３０）は、接続部（２３）内で終端する。第２の下位変形形態では、中央案内部（２０）に属する引き紐（３０）は、接合領域（１２）から握り部（８０）まで伸長する。
【００５０】
下位変形形態にかかわらず、以前の例のように、引き紐（３０）のシステムは、図４Ｂに示すようにスポーツウェア（１０）の外側面に作製、配置される。引き紐（３０）は、裾部（１１）及び／又は握り部（８０）に直ちに固定するか、又は案内部（２０）を形成した後に固定する。次に、案内部（２０）は、ジグザグ縫い目の使用によって引き紐（３０）の周囲に形成する。第１の下位変形形態を使用した場合、接続部（２３）から出発し対応する案内部終端部（２２）に至る部分における中央案内部（２０）のためのジグザグ縫い目は、わずかにより幅広に形成すべきである。即ち、この部分は、全ての３つの引き紐（３０）を握り部（８０）の方に案内すべきである。
【００５１】
案内部（２０）を、裾部（１１）及び握り部（８０）又は他の引き紐（３０）に接続した引き紐（３０）の周囲に形成した後、スポーツウェア（１０）を図４Ａに示すその通常の着用側に返す。図４Ａでは縫い目のみが見える。作動は、以前の例で説明したものと同様である。
【００５２】
例５−２つの交差案内部
図５Ａ〜図５Ｃは、２つの交差案内部（２０）及び２つの対応する引き紐（３０）から構成される脱衣手段の構造及び使用を示し、これらは、互いに重複する案内部中断部（２４）領域において互いに交差している。
【００５３】
以前の例のように、引き紐（３０）のシステムは、図５Ｂに示すようにスポーツウェア（１０）の外側面に作製、配置される。引き紐（３０）は、裾部（１１）及び／又は握り部（８０）に直ちに固定するか、又は案内部（２０）を形成した後に固定する。次に、案内部（２０）は、ジグザグ縫い目の使用によって引き紐（３０）の周囲に形成する。この例では、各案内部（２０）は、２つの部で形成される。第１の部は、案内部始端部（２１）から出発し、中断部（２４）に至り、第２の部は、中断部（２４）領域から案内部終端部（２２）まで至る。中断部（２４）は、破線円により図５Ａ、図５Ｂ及び図５Ｃに示す。上述の様式では、引き紐（３０）は、干渉されることなく中断部（２４）にわたって互いに交差し、そのため、もたらされる技術的効果は、多かれ少なかれ、例２で記載したものと同様である。
【００５４】
案内部（２０）を裾部（１１）及び握り部（８０）に接続した引き紐（３０）の周囲に形成した後、スポーツウェア（１０）を、図５Ａに示すその通常の着用側に返す。図５Ａでは、縫い目のみが見える。作動は、以前の例で説明したものと同様であり、図５Ｃに示す。握り部（８０）を中実体として形成した場合、握り部（８０）を傾けることによって、又は図示の握り部（８０）の左又は右の部分を主に引くことによって、引張り力は左又は右の引き紐（３０）に加えられ、この引張り力を裾部（１１）の適切な部分に伝達することが可能であることを述べる必要がある。
【００５５】
例６−側方継ぎ目としての案内部
図６Ａ〜図６Ｃは、２つの案内部（２０）及び２つの対応する引き紐（３０）から構成される脱衣手段の構造及び使用を示し、前記案内部（２０）は、スポーツウェア（１０）の部分的に使用される継ぎ目であり、前記スポーツウェア（１０）の前及び後部を接続している。
【００５６】
以前の例のように、引き紐（３０）のシステムは、図６Ｂに示すようにスポーツウェア（１０）の外側面に作製、配置される。引き紐（３０）は、裾部（１１）及び／又は握り部（８０）に直ちに固定するか、又は案内部（２０）を形成した後に固定する。次に、案内部（２０）は、ジグザグ縫い目の使用によって引き紐（３０）の周囲に形成する。この例では、スポーツウェア（１０）側方継ぎ目は、裾部（１１）から、袖の下に位置する捩れ部（２５）に至る、引き紐（３０）の案内部（２０）として使用する。前記捩れ部（２５）から、案内部終端部（２２）で終端する首部分の方に通る更なる案内部（２０）は、以前の例で既に説明したように形成する。
【００５７】
案内部（２０）を裾部（１１）及び握り部（８０）に接続した引き紐（３０）の周囲に形成した後、スポーツウェア（１０）を図６Ａに示すその通常の着用側に返す。図６Ａでは、縫い目のみが見える。作動は、以前の例で説明したものと同様であり、図６Ｃに示す。
【００５８】
例７−更なる中央案内部を有する、側方継ぎ目としての案内部
図７Ａ〜図７Ｃは、３つの案内部（２０）及び３つの対応する引き紐（３０）から構成される脱衣手段の構造及び使用を示し、前記案内部（２０）の２つは、スポーツウェア（１０）の部分的に使用される継ぎ目であり、前記スポーツウェア（１０）の前及び後部を接続しており、１つの案内部（２０）は、例１のような中央案内部である。そのため、上述の解決策は、例６に記載の解決策と例１に記載の解決策との融合を表す。製造方法は、上述の例で説明したものと同じである。
【００５９】
案内部（２０）を裾部（１１）及び握り部（８０）に接続した引き紐（３０）の周囲に形成した後、スポーツウェア（１０）を図７Ａに示すその通常の側に返す。図７Ａでは、縫い目のみが見える。作動は、以前の例で説明したものと同様であり、図７Ｃに示す。
【００６０】
他の変形形態
前に既に述べたように、上記の単純な例は、本発明の可能性を単に例示するものとして働く。案内部をスポーツウェア（１０）の両面に形成する、複合バージョンを形成する可能性、又はもっぱらもう一方の側に形成する可能性もあるが、例の中では詳述しない。当業者は、本発明のより高度な修正形態の形成の仕方を確かに認識するであろう。しかし、製造に関連する審美的な基準及び他の要因を考慮すると、開示する発明の最も常習的な実装形態は、案内部がスポーツウェア（１０）の内側面に位置する解決策となることが予期される。
【００６１】
前記発明は、通常のＴシャツ等、着用者の皮膚にそれほど密着しない既製の上半身用衣類に対し実装することが可能である。即ち、本発明は、脱衣手段として通常の上半身用衣類内で容易に使用することができ、高齢者又は障害者が前記上半身用衣類を脱衣するのを支援する。
【産業上の利用可能性】
【００６２】
本発明は、単純で確実であり、審美的に許容可能な支援手段として適しており、この手段は、濡れたスポーツウェア、特に、着用者の皮膚にかなり密着するように設計された上半身用スポーツウェアを着用者の頭から簡単に脱衣させることを可能にする。したがって、産業上の利用可能性は明らかである。
【００６３】
高齢者が、自身の健康状態のために、Ｔシャツ又は同様の衣類を頭から脱衣する際の問題を抱えていることを考慮すると、上述の脱衣支援手段に対する可能な用途は、最初に企図したものよりも広い。
【００６４】
上述し、図面を通して示した本明細書による実施形態は、特許明細の範囲によって定義する本発明を実施するための一例として使用する必要がある。当業者は、確かに、可能性のある所望のファッションに適合するように上記の実施形態を修正するであろう。
【符号の説明】
【００６５】
１０  スポーツウェア
１１  裾部
１２  接合領域
２０  条片案内部
２１  条片案内部始端部
２２  条片案内部終端部
２３  接続部
２４  中断部
２５  捩れ部
３０  引き紐
８０  握り部
９０  皮膚
Ｓ  区分
【図１Ａ】
2017537237.tif 000003
【図１Ｂ】
2017537237.tif 000004
【図１Ｃ】
2017537237.tif 000005
【図１Ｄ】
2017537237.tif 000006
【図２Ａ】
2017537237.tif 000007
【図２Ｂ】
2017537237.tif 000008
【図２Ｃ】
2017537237.tif 000009
【図３Ａ】
2017537237.tif 000010
【図３Ｂ】
2017537237.tif 000011
【図３Ｃ】
2017537237.tif 000012
【図４Ａ】
2017537237.tif 000013
【図４Ｂ】
2017537237.tif 000014
【図４Ｃ】
2017537237.tif 000015
【図５Ａ】
2017537237.tif 000016
【図５Ｂ】
2017537237.tif 000017
【図５Ｃ】
2017537237.tif 000018
【図６Ａ】
2017537237.tif 000019
【図６Ｂ】
2017537237.tif 000020
【図６Ｃ】
2017537237.tif 000021
【図７Ａ】
2017537237.tif 000022
【図７Ｂ】
2017537237.tif 000023
【図７Ｃ】
2017537237.tif 000024
【国際調査報告】
2017537237.tif 000025
2017537237.tif 000026